(57)【要約】【課題】水棲生物、特にスクミリンゴガイを効率良く捕獲でき、且つ捕獲したスクミリンゴガイを逃がさない捕獲具を提供する。また運搬時あるいは保管の際に嵩張らない捕獲具を提供する。更に、水棲生物、特にスクミリンゴガイを効率良く捕獲できる捕獲方法を提供する。【解決手段】捕獲具1Aは、底板130を備え上方が開口した平面視長方形状を有する合成樹脂製の箱体収容体100と、貫通孔111が複数箇所に設けられた蓋110を備えている。収容体100は、四方の側壁が底部から上方に向かってやや拡がる形状を有するよう形成してある。収容体100の長手方向及び短手方向の側壁には入口120が横方向に並んで平行に複数形成されている。各入口120の収容体100内側には長手側及び短手側の扉シート122,123がその下縁と各々の入口120の下縁が8mmの間隔を空けて平行になるように固着してあり、該8mmの間隔の部分が隙間121を構成する。隙間121は、各々の入口120に設けられている。【選択図】図１
2007097549.tif 000002
【特許請求の範囲】
【請求項１】
水棲生物(4)の捕獲具(1)であって、
水棲生物(4)の進入口(120)に配置されている閉鎖用のフラップ又は扉(122,123)は、進入口(120)の閉鎖状態において該進入口(120)の所要箇所に非閉鎖箇所(121)を有するよう構成してあり、
該非閉鎖箇所(121)から捕獲水棲生物(4)が閉鎖用のフラップ又は扉(122,123)を押し開いて捕獲具(1)内に進入できるよう仕組まれていることを特徴とする、
水棲生物の捕獲具。
【請求項２】
一方の捕獲具を他方の捕獲具に嵌め込んで重ねることができる形状に形成されていることを特徴とする、
請求項１記載の水棲生物の捕獲具。
【請求項３】
通気性を有し、開閉可能な蓋(110)を備えていることを特徴とする、
請求項１または２記載の水棲生物の捕獲具。
【請求項４】
進入口(120)は、全方位の側壁に形成されていることを特徴とする、
請求項１、２または３記載の水棲生物の捕獲具。
【請求項５】
捕獲具(1)を設置場所に保持あるいは固定する手段を備えていることを特徴とする、
請求項１、２、３または４記載の水棲生物の捕獲具。
【請求項６】
進入口に閉鎖用のフラップ又は扉を備えており、その進入口から捕獲対象生物が入ったら出られないように構成されている水棲生物の捕獲具を、稲苗と畦の隙間または／および稲苗の間の任意の場所に設置して行うことを特徴とする、
水棲生物の捕獲方法。
【発明の詳細な説明】
【技術分野】
【０００１】
本発明は、水棲生物の捕獲具、および、水棲生物の捕獲方法に関する。更に詳しくは、水棲生物、特にスクミリンゴガイを効率良く捕獲でき、運搬時あるいは保管の際に嵩張らない捕獲具、および、水棲生物の習性を利用した効率的な捕獲方法に関する。
【背景技術】
【０００２】
近年、稲の苗に対するスクミリンゴガイによる食害が問題となっている。
スクミリンゴガイ（俗称：ジャンボタニシ）は、食用として輸入された南米原産リンゴガイ科の淡水巻貝であり、旺盛な食欲及び強い繁殖力を特徴とする。現在では、養殖場から逃げ出したり廃棄されたりしたスクミリンゴガイが野生化し、日本各地、特に西日本に広く分布している。
なお、食用としてスクミリンゴガイ以外のリンゴガイも輸入され、各地で確認されたとの情報もあるが、本明細書においては、同様の形状及び生態のものについてスクミリンゴガイと総称する。
【０００３】
ところで、このスクミリンゴガイは雑食性であるが、植物質の餌を主に摂取し、特に柔らかい草を好む。また、基本的には水棲生物であるため、日本では水田及びその付近を生息場所としていることが多い。上記のような食性及び環境から、湛水直播栽培方法における発芽直後の稲苗が食害の対象となることが多く、特に西日本では深刻な被害が発生している。
そこで、スクミリンゴガイを捕獲する道具として、下記特許文献１及び特許文献２に示すような捕獲具が提案されている。
【特許文献１】実開昭６３−１８０６２号
【特許文献２】実用新案登録第３０７０７４８号公報
【発明の開示】
【発明が解決しようとする課題】
【０００４】
特許文献１に係る捕獲器は、餌の臭いに誘引された捕獲対象が上部開口部から捕獲器内側に落ち、その後は捕獲対象が捕獲器内側から上って逃げることができないよう形成されたことを特徴とするものである。
しかし、特許文献１に係る捕獲器は、水中に沈めて仕掛けた場合、スクミリンゴガイが一度は捕獲器に落ちるものの、肺様器官を持つため、呼吸管を水面上に伸ばして直接空気を吸って水面まで浮上し、捕獲器から逃げてしまい、捕獲できないという課題がある。
【０００５】
また、特許文献２に係る捕獲具は、網カゴ内上部側に水平軸を設け、該水平軸を中心に回動する扉を備え、該扉は内方側に傾斜した状態で底部に接触するよう形成されたことを特徴とするものである。
しかし、特許文献２に係る捕獲具は、その構造上、複数個の捕獲具を重ねた際に、上に重ねた捕獲具の底部が下に位置する捕獲具の扉に引っ掛かり、上に重ねた捕獲具の底部は下に位置する捕獲具の内底部まで到達せず、多くの数を重ねることができない。このため、水田に捕獲具を設置して回る際に、一度に少数しか運べず、作業効率が悪いという課題があった。
また、同様の理由から、上記捕獲具の保管の際に、捕獲具の数量に相応の保管場所を必要とするという課題もあった。
【０００６】
本発明者は、スクミリンゴガイの被害報告の多い熊本県で農業を営んでおり、実際にスクミリンゴガイを捕獲し、その生態について様々な実験及び観察を行った。この結果、本発明者は、スクミリンゴガイが隙間や穴等に進入する際には、まず頭部にある触覚器と見られる感覚器（以下「触覚器」という。）によって進入路の場所や大きさを探り、そのあとに頭部を差し入れて進入を行う習性があることを知見した。
本発明者は、知見した上記習性を利用して、スクミリンゴガイを効果的且つ確実に捕獲することができる捕獲具の構造等について研究を行った結果、本発明に想到するに至った。併せて、本発明者は、水田に捕獲具を設置する際の作業効率を上げることができるものについても想到するに至った。
【０００７】
（発明の目的）
そこで、本発明の目的は、水棲生物、特にスクミリンゴガイを効率良く捕獲でき、且つ捕獲したスクミリンゴガイを逃がさない水棲生物の捕獲具を提供することにある。
また、本発明の他の目的としては、運搬時あるいは保管の際にかさばらない水棲生物の捕獲具を提供することにある。
更に、本発明の目的としては、水棲生物、特にスクミリンゴガイを効率良く捕獲できる水棲生物の捕獲方法を提供することにある。
【課題を解決するための手段】
【０００８】
上記目的を達成するために講じた本発明の手段は次のとおりである。
第１の発明にあっては、
水棲生物の捕獲具であって、
水棲生物の進入口に配置されている閉鎖用のフラップ又は扉は、進入口の閉鎖状態において該進入口の所要箇所に非閉鎖箇所を有するよう構成してあり、
該非閉鎖箇所から捕獲水棲生物が閉鎖用のフラップ又は扉を押し開いて捕獲具内に進入できるよう仕組まれていることを特徴とする、
水棲生物の捕獲具である。
【０００９】
第２の発明にあっては、
一方の捕獲具を他方の捕獲具に嵌め込んで重ねることができる形状に形成されていることを特徴とする、
第１の発明に係る水棲生物の捕獲具である。
【００１０】
第３の発明にあっては、
通気性を有し、開閉可能な蓋を備えていることを特徴とする、
第１または第２の発明に係る水棲生物の捕獲具である。
【００１１】
第４の発明にあっては、
進入口は、全方位の側壁に形成されていることを特徴とする、
第１、第２または第３の発明に係る水棲生物の捕獲具である。
【００１２】
第５の発明にあっては、
捕獲具を設置場所に保持あるいは固定する手段を備えていることを特徴とする、
第１、第２、第３または第４の発明に係る水棲生物の捕獲具である。
【００１３】
第６の発明にあっては、
進入口に閉鎖用のフラップ又は扉を備えており、その進入口から捕獲対象生物が入ったら出られないように構成されている水棲生物の捕獲具を、稲苗と畦の隙間または／および稲苗の間の任意の場所に設置して行うことを特徴とする、
水棲生物の捕獲方法である。
【００１４】
「フラップ又は扉」は、例えば、可撓性又は弾性を有する合成樹脂のシートが好適に使用されるが、これに限定するものではなく、網目状に形成した合成樹脂や金属等の板状体等により形成したものであってもよいし、該板状体等をスクミリンゴガイが動かすことができる程度に捕獲具の外方に向けて付勢したものであってもよい。
【００１５】
「非閉鎖箇所」は、例えば、進入口とフラップ又は扉により構成される隙間等であって、高さ方向あるいは幅方向の全部にわたるよう形成したものであってもよいし、高さ方向あるいは幅方向の一部に形成したものであってもよい。
【００１６】
「捕獲具を設置箇所に保持あるいは固定する手段」は、例えば、捕獲具の下方に突設部を形成したものが挙げられるが、これに限定するものではなく、捕獲具に杭状物を設ける、或いは設置物等に捕獲具を取り付けるもの等であってもよい。
【００１７】
「稲苗と畦の隙間または／および稲苗の間」は、「稲苗と畦の隙間」または「稲苗の間」のいずれか一方の場合もあるし、あるいは、「稲苗と畦の隙間」および「稲苗の間」の両方の場合ということもある、という意味で使用している。
なお、稲苗のみならず、レンコン、カラー、イ草、ミズイモ等もスクミリンゴガイの食害の対象となる。このため、上記作物の栽培場所においても、本発明に係る捕獲具を使用し、または、本発明に係る捕獲方法を実施してもよい。
【００１８】
（作  用）
本発明に係る水棲生物の捕獲具（以下「捕獲具」という。）の作用を説明する。なお、説明にあたり、捕獲具による捕獲対象生物として、スクミリンゴガイの場合について説明する。
まず、水田の稲苗と畦の隙間または／および稲苗の間に捕獲具を設置する。なお、この際に、一方の捕獲具を他方の捕獲具に嵌め込んで重ねることができる形状に形成されているものは嵩張らないため、保管場所や車両等の運搬手段から水田まで運ぶ際の作業効率が良い。
【００１９】
設置に先立ち、捕獲具内部にスクミリンゴガイの餌を入れ、蓋をする。
そして、捕獲具の底部を水田内の泥上に設置し、捕獲具の進入口下縁と水田内の泥上面が同じ高さか又は本質的に同じ高さになるよう設置する。この際に、非閉鎖箇所が泥内に埋まらないよう設置することが好ましい。
捕獲具を設置箇所に保持あるいは固定する手段を備えているものについては、当該手段を使用して設置する。
【００２０】
設置後、非閉鎖箇所から、捕獲具内の餌の臭い等が水棲生物の捕獲具周辺の全方位に拡がり、餌の臭いに誘引されたスクミリンゴガイが集まってくる。
【００２１】
捕獲具の進入口まで到達したスクミリンゴガイは、触角器により進入路の有無を探る。そして進入口に生じた非閉鎖箇所を見つけると、そこから進入口に設けられたフラップ又は扉を押し開けて、または非閉鎖箇所にその頭部を押し入れながらフラップ又は扉を押し開けて、中に進入する。
【００２２】
なお、スクミリンゴガイの産卵時期は夏であり、前年度に産まれ越冬したスクミリンゴガイは田植えの時期には殻高２〜３ｃｍに成長している。このため、中に進入したスクミリンゴガイは、進入路である非閉鎖箇所から捕獲具の外に出ようとしても殻が邪魔をして出ることはできない。
【００２３】
設置後、定期的に、あるいは捕獲具内の捕獲されたスクミリンゴガイの状況を見て、捕獲具を回収する。捕獲したスクミリンゴガイは、殺処分等する。
【発明の効果】
【００２４】
（１）本発明によれば、進入口が非閉鎖箇所を有するため、水棲生物、特にスクミリンゴガイが捕獲具内に入りやすく、その結果、高い捕獲可能性が期待できる捕獲具を提供することができる。
（２）更に、上記捕獲具であって、一方の捕獲具を他方の捕獲具に嵌め込んで重ねることができる形状に形成されているものは、複数個の捕獲具を重ねることができるので運搬時に嵩張らず、捕獲具の設置作業の効率が向上する。また、嵩張らないので、保管の際に保管場所が少なくて済む。
（３）捕獲具が設置箇所に保持あるいは固定する手段を備えているものについては、当該手段を使用して設置すれば、水の流れのある場所であっても捕獲具を安定して設置することができる。
（４）また、上記捕獲具は、簡易な構造であるため安価で作成でき、あるいは、安価で需用者に提供することができる。
（５）本発明による捕獲方法によれば、稲苗と畦の隙間に設置したものは産卵等のため畝の近くにいるスクミリンゴガイを捕獲でき、また、稲苗の間に設置したものは主に稲苗を摂食しているスクミリンゴガイを捕獲できるため、捕獲作業効率がよく、ひいては稲苗の食害を防止することができる。
【発明を実施するための最良の形態】
【００２５】
本発明の第１の実施の形態を図面に基づき更に詳細に説明する。
図１は本発明に係る捕獲具１Ａの分解斜視説明図、
図２は図１に示す捕獲具１Ａに餌を入れた状態の平面図、
図３は図１に示す捕獲具１Ａの正面視説明図、
図４は図１に示す捕獲具１Ａの側面視説明図である。
【００２６】
図１を参照する。
捕獲具１Ａは、底板１３０を備えた収容体１００と、該収容体１００の蓋１１０を備えている。収容体１００の側壁には、入口１２０が複数箇所に形成されている。以下で詳細に説明する。
【００２７】
収容体１００は、上方が開口した平面視長方形状を有する合成樹脂製の箱体であり、該開口した部分は上方開口部１０３を構成する。また、収容体１００の上縁は開口部縁部１０４を構成する。開口部縁部１０４各短手方向縁部には、把持部１０１，１０２が形成されている。把持部１０１，１０２は、開口部縁部１０４の短手方向中央付近に位置し、相対するよう設けられている。
【００２８】
収容体１００は、四方の側壁が底部から上方に向かってやや拡がる形状を有するよう形成してある（図３及び図４参照）。具体的に本実施の形態では、底部が長手方向３００ｍｍ、短手方向１９０ｍｍに形成され、開口部縁部１０４が長手方向３９０ｍｍ、短手方向２７０ｍｍに形成されており（図２参照）、底部から把持部１０１，１０２の上面までの高さが１９０ｍｍ、底部から開口部縁部１０４までの高さが１６０ｍｍに形成されたものを使用している。しかし、収容体１００は上述の寸法に限定するものではなく、設置場所等使用の態様により適宜設定してもよい。
【００２９】
収容体１００の上方開口部１０３には、周縁が下方に向けて折り曲げられ、収容体１１０の開口部周縁部１０４に被せて閉じることができるよう形成された着脱可能な蓋１１０が設置されている。蓋１１０には、蓋１１０の上面から下面へ貫通して形成された貫通孔１１１が複数箇所に設けられている（図１参照）。
なお、蓋１１０は、閉じた後に外れにくくするために開口部周縁部１０４と隙間が生じないよう形成し、摩擦力によって脱落防止を図っているが、これに限定するものではなく、例えば、脱落防止手段として留め具を設ける等してもよい。
【００３０】
収容体１００の長手方向及び短手方向の側壁には入口１２０が複数形成されている。入口１２０は、長手方向各側壁の７カ所に設けられ、短手方向各側壁の４カ所に設けられている。
各々の入口１２０は、高さ４０ｍｍ、幅３０ｍｍの縦長の略長方形であって、その下縁は底板１３０の周縁とほぼ接しており、上縁は半円弧状に形成されている。各々の入口１２０は横方向に並んで平行に配置されており、隣り合う入口１２０の間は１０ｍｍの間隔を空けて仕切部１２４を構成している。
【００３１】
収容体１００内側であって各々の入口１２０近傍には、長手方向の入口１２０に長手側の扉シート１２２が、短手方向の入口１２０に短手側の扉シート１２３が設けられており、それぞれその上部が収容体１００内側に固着してある。
長手側の扉シート１２２及び短手側の扉シート１２３は、可撓性又は弾性を有する合成樹脂フィルムのシートにより形成され、長手側の扉シート１２２は縦７５ｍｍ、横２８０ｍｍに形成されており、短手側の扉シート１２３は縦７５ｍｍ、横１６０ｍｍに形成されている。
【００３２】
長手側の扉シート１２２及び短手側の扉シート１２３は、上方の一部を残して横４０ｍｍ毎に縦方向に切れ目が形成されている。
長手側の扉シート１２２及び短手側の扉シート１２３は、切れ目が各々の仕切部１２４の略中間に位置するよう配置して固着してある。なお、扉シートの形状は本実施の形態に限定するものではなく、例えば、各入口毎に扉シートを設けたものであってもよい。
【００３３】
また、長手側の扉シート１２２及び短手側の扉シート１２３は、その下縁と各々の入口１２０の下縁が８ｍｍの間隔を空けて平行になるように固着してあり、該８ｍｍの間隔の部分が隙間１２１を構成する。隙間１２１は、各々の入口１２０に設けられている。
【００３４】
本発明者の研究によると、スクミリンゴガイは、隙間や穴等に進入する際に、触覚器でまず進入路の場所や大きさを探り、そのあとに頭部を差し入れて進入を行う。このため、隙間の幅は、５ｍｍ未満であるとスクミリンゴガイが侵入しにくく、また１０ｍｍを超えるとスクミリンゴガイが収容体内部から扉部材をこじ開けて逃げ出てしまうので、５ｍｍ以上１０ｍｍ以下となるよう構成したものが好適である。より好ましくは、餌の臭いの拡がり易さ及びスクミリンゴガイの侵入のし易さ、また逃げ出すことの防止という観点から、隙間の幅は６ｍｍ以上９ｍｍ以下であり、更により好ましくは、７ｍｍ以上９ｍｍ以下である。
【００３５】
収容体１００の内底部は、底板１３０を構成する。底板１３０は、その上面から下面まで貫通して形成された水抜き孔１３１が複数箇所に設けられている。
【００３６】
（作  用）
図５は捕獲具１Ａを水田に設置した状態を示す使用状態説明図、
図６は捕獲具１Ａを水田に設置した状態を俯瞰的に示す説明図である。
図１乃至図６を参照して、捕獲具１Ａの作用を説明する。
【００３７】
図２を参照する。捕獲具１Ａを設置する前準備として、収容体１００の底板１３０の略中央部に誘引餌１４０を置いて、蓋１１０を閉める。誘引餌１４０としては、例えば、白菜、ジャガイモの皮、スイカの皮、キュウリ、菜っ葉その他野菜クズ等のスクミリンゴガイが好むものが挙げられる。
【００３８】
図５及び図６を参照する。前述の前準備が完了した捕獲具１Ａを水田３内に入れ、捕獲具１Ａの入口１２０の下縁と水田３の泥２表面が同じ又は略同じ高さとなるように設置する。この際に、隙間１２１が泥に埋まらないように設置する。
設置場所としては、各稲苗５の間が効果的であるが、一般的に水田に生息するスクミリンゴガイは畦際の草に産卵する傾向が見られるので、畦３１０と植えた稲苗５の間に捕獲具１Ａを設置することが効果的である。（図６参照）
なお、スクミリンゴガイは夜行性との説もあるが、本発明者が観察したところ、スクミリンゴガイは特に夜行性というわけではなく、昼夜を問わず活動することを知見した。このことから、捕獲具１Ａを設置する時間はいつでも良い。
また、水の流れがある場所に設置する場合は、捕獲具１が流れて移動しないように蓋１１０の上に石等の重しを載せてもよい。
【００３９】
捕獲具１Ａを使用する時期は晩春から初夏が効果的である。蓋１１０に設けられた貫通孔１１１は、設置された捕獲具１Ａ内の温度の上昇を緩和し、スクミリンゴガイ４が入ってきやすい環境に整える。
【００４０】
設置後、入口１２０に生じた隙間１２１から、収容体１００内の誘引餌１４０の臭い等が捕獲具１Ａ周辺の全方位に拡がる。誘引餌１４０の臭いに誘引されて、捕獲具１Ａの入口１２０まで到達したスクミリンゴガイ４は、まず触覚器でその進入路を探す。そして、入口１２０に生じた隙間１２１を見つけると、そこに頭部を押し入れながら長手側の扉シート１２２及び短手側の扉シート１２３（図５では短手側の扉シート１２３）を押し開けて、収容体１００の中に進入する。
【００４１】
なお、前述の通り、スクミリンゴガイ４は田植えの時期には殻高２〜３ｃｍに成長している。このため、収容体１００内のスクミリンゴガイ４が、入口１２０に形成された隙間１２１から逃げ出そうとしても、スクミリンゴガイ４の殻が長手側の扉シート１２２や短手側の扉シート１２３に引っ掛かる。そして、長手側の扉シート１２２及び短手側の扉シート１２３のうち仕切部１２４に当接した部分が、収容体１００内側の仕切部１２４に当たり抵抗となる。この結果、長手側の扉シート１２２及び短手側の扉シート１２３は収容体１００の外方に開かない。
【００４２】
以上の構造から、スクミリンゴガイ４が収容体１００の中に入り、誘引餌１４０を食べ尽くした後、或いは収容体１００から出ようとしても、再び捕獲具１Ａの外に出ることはできない。
なお、収容体１００の内壁を登って逃げようとしても、上方開口部１０３には蓋１１０がされているので不可能である。
【００４３】
設置後、定期的に（数日周期）、あるいは収容体１００内に捕獲されたスクミリンゴガイ４の状況（捕獲数等）を見て、捕獲具１Ａを回収する。
この際、捕獲具１Ａを持ち上げると、内部に貯まった水が底板１３０に設けられた水抜き孔１３１から流出し、収容体１００内にスクミリンゴガイ４が残る。
捕獲したスクミリンゴガイ４は、殺処分等する。
【００４４】
本発明の第２の実施の形態を図面に基づき更に詳細に説明する。
図７は本発明に係る捕獲具１Ｂを水田に設置した状態を示す使用状態説明図である。
なお、捕獲具１Ｂは、先に説明した捕獲具１Ａと同等の構造及び作用を備えるため、当該部分について重複する部分の説明は省略し、相違する部分についてのみ説明する。また、捕獲具１Ａと同等の構造部分に関しては同一の符号を付するものとする。
【００４５】
捕獲具１Ｂは、底板１３０の裏面から下方に向かって突設した脚部１０５が設けられている。脚部１０５は、収容体１００の側壁に沿って全周方向にわたり設けられており、高さ３０ｍｍ、厚さ２ｍｍに形成されている。なお、脚部１０５により囲まれた内方の空間は、空間部１０６を構成する。
【００４６】
（作  用）
図７を参照して、捕獲具１Ｂの作用を説明する。
前準備が完了した捕獲具１Ｂを水田３に入れ、捕獲具１Ｂの脚部１０５を泥３に押しつけて埋設し、入口１２０の下縁と水田３の泥２の表面が同じ又はほぼ同じ高さとなるように設置する。
この際、脚部１０５内方に構成された空間部１０６には泥２が入り込むので、脚部１０５は内方及び外方から泥２に挟み込まれて設置箇所に固定される。
【００４７】
なお、本実施の形態では、捕獲具１Ｂの脚部は収容体１００の側壁に沿って全周方向にわたり設けられているが、これに限定するものではなく、収容体の一部に形成することもできる。また、脚部の高さ及び厚さは、設置箇所等に応じて適宜設定される。
【００４８】
なお、本発明者が在住する地方では、畦３１０と畦３１０に最も近い端側の稲苗５は１尺（約３０ｃｍ）の間隔をあけて植えてあり、また、稲苗５の各株間も１尺の間隔をあけている。このため、本実施の形態に係る捕獲具１Ａ，１Ｂの寸法は上記設置場所に好適な数値としたが、この寸法に限定するものではなく、設置場所や状況に応じた寸法に設定してもよい。
【００４９】
本実施の形態では、捕獲具１Ａ，１Ｂに係る収容体１００を平面視長方形の箱体としたが、これに限定するものではなく、例えば、平面視三角形、正方形、円形あるいは長円形等の公知形状の箱体であってもよい。
【００５０】
本実施の形態では、捕獲具１Ａ，１Ｂに係る収容体１００を、四方の側壁が底部から上方に向かってやや拡がる形状とし、上下に嵌め込んで重ねることができるものとしたが、これに限定するものではなく、例えば、収容体の側方に開口部を設け、一方の捕獲具を他方の該開口部に嵌め込んで横側に重ねることができるもの等であってもよい。この場合、該側方の開口部に蓋を設けてもよく、その蓋に入口を形成してもよい。
【００５１】
本実施の形態では、捕獲具１Ａ，１Ｂに係る収容体１００は合成樹脂により形成されているが、これに限定するものではなく、例えば、木材、竹材、金属等或いはこれらの複合材料により形成してもよい。
【００５２】
捕獲具１Ａ，１Ｂに係る入口１２０の配置位置、形状、寸法、設置数は、本実施の形態に記載したものに限定するものではなく、設置環境あるいは捕獲具１Ａ，１Ｂの大きさ等に応じて適宜設定してもよい。
【００５３】
なお、扉部材の形状は、上記実施の形態に限定するものではなく、例えば、隙間を除いた部分の一部又は全部が開口部より幅広に形成され、その幅広部分が収容体内側の開口部縁部に当接して止まり、収容体外方へ開かないよう構成されているもの、或いは観音開き状に左右方向または上下方向、又は上下及び左右方向に開くもの等であってもよい。
【００５４】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００５５】
【図１】本発明に係る捕獲具１Ａの分解斜視説明図。
【図２】図１に示す捕獲具１Ａに餌を入れた状態の平面図。
【図３】図１に示す捕獲具１Ａの正面視説明図。
【図４】図１に示す捕獲具１Ａの側面視説明図。
【図５】捕獲具１Ａを水田に設置した状態を示す使用状態説明図。
【図６】捕獲具１Ａを水田に設置した状態を俯瞰的に示す説明図。
【図７】本発明に係る捕獲具１Ｂを水田に設置した状態を示す使用状態説明図。
【符号の説明】
【００５６】
１Ａ    捕獲具
１Ｂ    捕獲具
１００  収容体
１０１  把持部
１０２  把持部
１０３  上部開口部
１０４  開口部縁部
１０５  脚部
１０６  空間部
１１０  蓋
１１１  貫通孔
１２０  入口
１２１  隙間
１２２  長手側の扉シート
１２３  短手側の扉シート
１２４  仕切部
１３０  底板
１３１  水抜き孔
１４０  誘引餌
２      泥
３      水田
３１０  畦
４      スクミリンゴガイ
５      稲苗
【図１】
2007097549.tif 000003
【図２】
2007097549.tif 000004
【図３】
2007097549.tif 000005
【図４】
2007097549.tif 000006
【図５】
2007097549.tif 000007
【図６】
2007097549.tif 000008
【図７】
2007097549.tif 000009